(57)【特許請求の範囲】
【請求項１】
施解錠回転位置間を回転操作可能なプラグに連結されるカム部材と、
カム部材のカム面に従動してロック、アンロック位置間を駆動され、ロック位置側に付勢されたカムフォロア体と、
カムフォロア体に連結されてステアリングシャフトに係脱するロック、アンロック位置間を移動するロックバーと、
プラグの施錠回転位置から解錠回転位置方向への回転に伴ってアンロック位置に移動したカムフォロア体に係止して該カムフォロア体をアンロック位置に保持し、プラグからの解錠キーの抜去に伴ってカムフォロア体との係止を解除する係止体とを有し、
前記カムフォロア体には、前記カム部材のカム面に当接して該カムフォロア体をカム面に従動させるフォロア部が設けられるとともに、
前記カムフォロア体には、突出方向に付勢されるストッパピンが装着され、
前記カム部材には、該カム部材の回転中心に同心の円筒面からなり、前記ストッパピンの先端が対峙、または当接するピン対応面が形成され、
かつ、ピン対応面には、プラグが施錠回転位置にあるときのストッパピンの移動経路上に位置し、該ストッパピンのアンロック位置側への移動を規制する垂直壁と、アンロック位置からロック位置側への移動を許容する傾斜壁とを備えたストッパ突起が突設されるステアリングロック装置。
【請求項２】
前記カムフォロア体は、一端においてロックバーに連結され、反対端に前記ストッパピンを保持したフォロア本体部に前記係止体への係脱部を設けて形成される請求項１記載のステアリングロック装置。
【請求項３】
前記ロックバーの進退方向がプラグの軸線に対して交差状に配置される請求項２記載のステアリングロック装置。
【発明の詳細な説明】
【技術分野】
【０００１】
本発明は、ステアリングロック装置に関するものである。
【背景技術】
【０００２】
ステアリングシャフトにロックバーを係止させることによりステアリングへの操作を規制するステアリングロック装置としては、特許文献１に記載のものが知られている。
【０００３】
この従来例において、ロックバーには該ロックバーをロック位置側に押し出す方向の付勢力が付与された制御バーが制御ペグを介して連結される。図１６に示すように、制御バー１７にはプラグに連結された回転突出部品１８のカム面に対するフォロアとなる後方部分１９が形成され、プラグの回転操作に伴って制御バー１７、すなわちロックバーが動作する。
【０００４】
制御バー１７にはロッキングピン２０が突出方向に付勢されて装着され、回転突出部品１８の円筒面２１に圧接する。回転突出部品１８には、円筒面２１を平面により削ぐようにしてロッキングリセス２２が凹設され、円筒面２１とロッキングリセス２２との境界に立ち上がり壁状のストッパ表面２３が形成される。
【０００５】
ロックバー５がロック位置にあるとき、ロッキングピン２０はロッキングリセス２２内に落ち込んでストッパ表面２３に対峙して制御バー１７のロック解除位置側への移動が規制され、ロックバー５のへの直接操作による不正解錠が防止される。
【先行技術文献】
【特許文献】
【０００６】
【特許文献１】特許第４４６５０７２号公報
【発明の概要】
【発明が解決しようとする課題】
【０００７】
しかし、上述した従来例において、ストッパ表面２３は、回転突出部品１８の円筒面２１に平面状のロッキングリセス２２を切り欠くことにより形成されるものであるために、ストッパ表面２３の段差を十分に大きく取ることができず、ロッキングピン２０との係止寸法を該ロッキングピン２０の移動を規制するのに十分な高さに設定することが困難であるという問題がある。
【０００８】
すなわち、まず、ロッキングリセス２２内に落ち込んだロッキングピン２０は、プラグのアンロック位置への回転とともに徐々に円筒面２１の高さに移行し、アンロック位置の手前において円筒面２１に移動する必要があるために、ロッキングリセス２２の円筒面２１との境界は、プラグのアンロック位置の手前に設定する必要がある。
【０００９】
一方、プラグのアンロック位置とロック位置との間の角度はイグニッションスイッチ等の仕様により予め決定されており、さらに、回転突出部品１８の径方向寸法にも制限があるために、側壁に対して直交する平面で形成されるロッキングリセス２２とストッパ表面２３との段差を十分に大きくすることは困難になる。
【００１０】
また、この問題は、側壁との直交条件を解除し、ロッキングリセス２２をプラグのロック位置を開始端とし、アンロック位置の手前において円筒面２１に吸収される平面により形成することも可能であるが、この場合、ロッキングリセス２２の傾斜が急になるために、以下の問題が発生する。
【００１１】
すなわち、進退方向にガイドされて制御ペグ内に保持されているロッキングピン２０には、ロッキングリセス２２上での移動に伴ってガイドに対して斜行する方向の力が常時負荷されるために、ロッキングピン２０は制御ペグ内のガイドに点接触状態で摺動する。
【００１２】
ロッキングリセス２２を形成する平面が急斜面により形成される場合、ロッキングピン２０に負荷される水平方向分力は極めて大きくなる結果、接触点に対する圧力も高まるために、操作感の低下を招来するだけでなく、長期の使用によるガタツキの発生により全体の動作不良を惹起する虞も生じる。
【００１３】
すなわち、上述した従来例において、ロッキキングピン２０は、図１６（ｂ）に示すように、ロッキングリセス２２を離脱し、さらに円筒面２１との接触が解除された後、図１６（ｃ）に示すように、制御バー１７がプラグの爪２４に係止されるまでの間、回転突出部品１８の後方面２５に係止させて制御バー１７の移動を規制する機能を有しているが、制御ペグ内でのガタツキの発生により、ロッキングピン２０が制御ペグ内で傾いて動かなくなり、制御ペグ内に収容されるスプリングによる突出位置への戻り動作不良が発生すると、制御バー１７、すなわち、ロッキングピン２０のロック位置への保持機能が失われる。
【００１４】
ロッキングピン２０がロック位置に保持されないと、プラグのロック位置側への回転操作に伴って制御バー１７は側方ランプ２６に追随しながらアンロック位置に移動し、ロック状態に移行させることができなくなる。
【００１５】
本発明は、以上の欠点を解消すべくなされたものであって、不正解錠操作を確実にすることが可能で、かつ、長期の使用に際しても安定的に動作するステアリングロック装置の提供を目的とする。
【課題を解決するための手段】
【００１６】
本発明によれば上記目的は、
施解錠回転位置間を回転操作可能なプラグ１に連結されるカム部材２と、
カム部材２のカム面３に従動してロック、アンロック位置間を駆動され、ロック位置側に付勢されたカムフォロア体４と、
カムフォロア体４に連結されてステアリングシャフトに係脱するロック、アンロック位置間を移動するロックバー５と、
プラグ１の施錠回転位置から解錠回転位置方向への回転に伴ってアンロック位置に移動したカムフォロア体４に係止して該カムフォロア体４をアンロック位置に保持し、プラグ１からの解錠キー６の抜去に伴ってカムフォロア体４との係止を解除する係止体７とを有し、
前記カムフォロア体４には、前記カム部材２のカム面３に当接して該カムフォロア体４をカム面３に従動させるフォロア部１３が設けられるとともに、
前記カムフォロア体４には、突出方向に付勢されるストッパピン８が装着されるとともに、
前記カム部材２には、該カム部材２の回転中心に同心の円筒面からなり、前記ストッパピン８の先端が対峙、または当接するピン対応面９が形成され、
かつ、ピン対応面９には、プラグ１が施錠回転位置にあるときのストッパピン８の移動経路上に位置し、該ストッパピン８のアンロック位置側への移動を規制する垂直壁１０と、アンロック位置からロック位置側への移動を許容する傾斜壁１１とを備えたストッパ突起１２が突設されるステアリングロック装置を提供することにより達成される。
【００１７】
ステアリングロック装置は、解錠キー６を使用してプラグ１を施錠回転位置から解錠回転位置に回転操作することにより、ロック位置側に付勢されたロックバー５をアンロック位置に駆動するように構成される。
【００１８】
ロックバー５の駆動は、ロックバー５に連結されたカムフォロア体４に形成されるフォロア部１３をプラグ１に連結されるカム部材２のカム面３により駆動して行われ、カム部材２には、該カム部材２の回転中心、すなわちプラグ１の回転中心（Ｃ１）を中心とする円筒面により形成されるピン対応面９が形成される。
【００１９】
カムフォロア体４に装着されるストッパピン８はプラグ１への回転操作に伴って上記ピン対応面９上を接触状態で、あるいは適宜の間隔を開けて走行し、ロックバー５がロック位置にあるとき、ストッパピン８のアンロック側への移動がピン対応面９上に突設されるストッパ突起１２により規制される。
【００２０】
したがって本発明において、ロック状態においてロックバー５を直接操作してアンロック位置に移動させようとしても、ロックバー５に連結されるカムフォロア体４の移動がストッパピン８のストッパ突起１２への干渉によって規制されるために不可能となり、不正解錠操作を確実に防ぐことが可能になる。
【００２１】
ストッパ突起１２は、円筒面により形成されるピン対応面９に形成されるために、ストッパ突起１２との干渉寸法は自由に設定できる。このため、ロックバー５をアンロック位置側に不正操作しようとした際のストッパ突起１２との係止寸法を十分に大きく取ることが可能になり、不正操作に対する耐性が向上する。
【００２２】
また、ストッパピン８はカム部材２に向けて進退し、かつ、ストッパピン８が当接し、または無接触状態で対峙するピン対応面９はカム部材２の回転中心を中心とする円筒面により形成されているために、ストッパピン８には、大きな側方荷重が負荷されることがない。この結果、磨耗等による動作不良が発生することがなく、長期にわたって安定した性能を発揮することが可能になる。
【００２３】
また、本発明において、前記係止体７は、カムフォロア体４のアンロック位置への移動に伴ってカムフォロア体４に係止するように構成される。
【００２４】
本発明において、プラグ１が解錠回転位置まで回転操作され、カムフォロア体４がアンロック位置まで移動すると係止体７に係止し、以後、カム部材２のカム面３に追従することなくアンロック位置に保持される。
【００２５】
この結果、ストッパピン８は、カム部材２に対するフォロア部として全く機能することなく、アンロック位置への移動規制のためだけの機能が与えられる。この結果、上述した従来例においては、ストッパピン８に動作不良が発生すると、ステアリングロック装置としての基本機能が損なわれるが、本発明においては、ストッパピン８が基本機能に悪影響を与えることがないために、長期にわたって安定した作動が可能になる。
【００２６】
また、ステアリングロック装置は、
前記プラグ１は解錠回転位置を超えるスタート回転位置まで回転操作可能に形成されるとともに、
前記カムフォロア体４は、ストッパピン８の側壁をフォロア部１３としてカム面３により駆動され、
かつ、前記カム部材２には、プラグ１の施錠回転位置に対応する第１ロック対応位置（ＰＬ１）から解錠回転位置に対応する第１アンロック対応位置（ＰＵ１）を経てスタート回転位置に対応するスタート対応位置（ＰＳ）に至る第１のフォロア移動経路（Ｒ１）と、
第１のフォロア移動経路（Ｒ１）からカム部材２の中心方向に偏倚して形成され、スタート対応位置（ＰＳ）を通過したフォロア部１３を導いてプラグ１の解錠回転位置に対応する第２アンロック対応位置（ＰＵ２）、およびプラグ１の施錠回転位置に対応して前記係止体７によりアンロック位置に保持される第２ロック対応位置（ＰＬ２）に導く第２のフォロア移動経路（Ｒ２）と、
前記第１ロック対応位置（ＰＬ１）と第２ロック対応位置（ＰＬ２）とを連結する連結経路（ＲＣ）とが形成され、
前記第２のフォロア移動経路（Ｒ２）にはフォロア部１３のスタート対応位置（ＰＳ）側への移動を規制する段状の突部１４が設けられるとともに、連結経路（ＲＣ）には、前記ストッパ突起１２が設けられるように構成することができる。
【００２７】
本発明においてプラグ１は、ロックバー５のアンロック位置への移動が完了する解錠回転位置を超えて、さらにスタート回転位置まで回転操作可能に形成される。プラグ１を施錠回転位置から解錠回転位置、スタート回転位置に移行させた後、再び解錠回転位置を経由して施錠回転位置に戻し、施錠回転位置において解錠キー６を抜去すると、カム部材２に対するフォロア部１３を兼ねるストッパピン８は、自由端がフォロア走行面を走行しながら、第１、第２のフォロア移動経路（Ｒ１、Ｒ２）、および連結経路（ＲＣ）を通過して開始位置に復帰する。
【００２８】
第１のフォロア移動経路（Ｒ１）は、プラグ１が施錠回転位置にあり、かつ、ロックバー５、すなわち、カムフォロア体４がロック位置にある第１ロック対応位置（ＰＬ１）を開始点とし、プラグ１がスタート回転位置にあるスタート対応位置（ＰＳ）を終点とする経路であり、カムフォロア体４は、第１のフォロア移動経路（Ｒ１）の中間に設定される第１アンロック対応位置（ＰＵ１）においてロック位置からアンロック位置にドライブされる。
【００２９】
スタート対応位置（ＰＳ）まで移動したフォロア部１３が導かれる第２のフォロア移動経路（Ｒ２）は、第１のフォロア移動経路（Ｒ１）に対してカム部材２の中心方向に偏倚して形成される。フォロア部１３を構成し、突出方向に付勢されるストッパッピンは、第１のフォロア移動経路（Ｒ１）の終端、すなわち、スタート対応位置（ＰＳ）に達すると、付勢力により第２のフォロア移動経路（Ｒ２）のピン対応面９に移動し、以後、第１のフォロア移動経路（Ｒ１）への復帰が規制される。
【００３０】
第２のフォロア移動経路（Ｒ２）は、上記スタート対応位置（ＰＳ）を始点とし、プラグ１が施錠回転位置に復帰した第２ロック対応位置（ＰＬ２）を終点とする経路であり、第１のフォロア移動経路（Ｒ１）において係止体７に係止されたカムフォロア体４は第２のフォロア移動経路（Ｒ２）の全域にわたってアンロック位置に保持される。
【００３１】
第２のフォロア移動経路（Ｒ２）には、経路中間にプラグ１が解錠回転位置に達した第２アンロック対応位置（ＰＵ２）が配置され、ストッパピン８は、第２アンロック対応位置（ＰＵ２）に移動する際にピン移動経路に形成された段状の突部１４を乗り越え、以後、スタート対応位置（ＰＳ）への復帰が規制される。
【００３２】
この結果、一旦スタート回転位置まで回転操作してエンジンを起動操作してプラグ１を解錠回転位置に復帰させた後、再びスタート回転位置に戻るプラグ１への回転操作が禁止されるために、既に起動しているエンジンへの再起動操作等を確実に防止することができる。
【００３３】
また、連結経路（ＲＣ）のピン対応面９に突設されるストッパ突起１２は、カムフォロア体４のロック状態からアンロック状態への移動を規制するために、ロック状態でロックバー５を直接操作してロック解除する不正操作を確実に防ぐことが可能になる。
【００３４】
さらに、上記目的を達成するための本発明の他の態様として、
前記カムフォロア体４は、一端においてロックバー５に連結され、反対端に前記ストッパピン８を保持したフォロア本体部１５に前記係止体７への係脱部１６を設けて形成されるステアリングロック装置を構成することができる。
【００３５】
本発明において、カムフォロア体４は、両端にロックバー５への連結部とストッパピン８の保持部とを配置したフォロア本体部１５を有し、ストッパピン８とロックバー５への連結部とが分離配置される。
【００３６】
上述した従来例において、ロックバー５とカムフォロア体４とはストッパピン８を介して相互に連結されるために、ロックバー５とカムフォロア体４とは直線状に配置する必要があり、レイアウトの自由度が低くなるが、カムフォロア体４に直接ロックバー５を連結する本発明においては、カムフォロア体４とロックバー５との相対位置は適宜決定することが可能になるために、レイアウトの自由度が高くなる。
【００３７】
この場合、前記ロックバー５の進退方向がプラグ１の軸線に対して交差状に配置されるステアリングロック装置を構成すると、ロックバー５の進退ストロークに比してカムフォロア体４のストロークを短くすることができるために、装置の小型化が可能になる。
【発明の効果】
【００３８】
本発明によれば、ストッパ突起の突出高さを必要に応じて高くすることができるために、不正操作に対する耐性を高めることができる。
【図面の簡単な説明】
【００３９】
【図１】本発明を示す断面図である。
【図２】カム部材を示す図で、（ａ）はプラグの回転角を示す図、（ｂ）はカム部材の正面図、（ｃ）はカムの側面図、（ｄ）はカムの背面図である。
【図３】ステアリングロック装置の動作を示す図で、（ａ）はプラグを解錠回転位置まで回転操作した状態を示す図、（ｂ）はプラグを施錠回転位置まで回転操作した状態を示す図である。
【図４】カムフォロア体を示す図で、（ａ）は正面図、（ｂ）は（ａ）の４Ｂ-４Ｂ線断面図、（ｃ）は背面図、（ｄ）は（ｃ）の４Ｄ方向矢視図である。
【図５】カム部材とカムフォロア体の動作を示す図で、（ａ）はカム部材に対するフォロア部の移動を示す側面図、（ｂ）は（ａ）の正面図である。
【図６】ストッパ突起の動作を示す要部断面図で、（ａ）はロック状態におけるストッパピンとの位置関係を示す図、（ｂ）はロックバーを不正に操作した際のストッパピンとの位置関係を示す図である。
【図７】本発明の他の実施の形態を示す断面図である。
【図８】カム部材を示す図で、（ａ）はカム部材の斜視図、（ｂ）はカム部材の正面図である。
【図９】カム部材の動作を示す図で、（ａ）は図８（ｂ）の９Ａ方向矢視図、（ｂ）は図９（ａ）の９Ｂ方向矢視図である。
【図１０】施錠回転位置におけるストッパピンとカム部材との関係を示す図である。
【図１１】解錠回転位置における図７に対応する断面図である。
【図１２】プラグを解錠回転位置まで回転させた状態を示す図である。
【図１３】プラグを回転させた状態を示す図で、（ａ）はスタート回転位置を示す断面図、（ｂ）はスタート位置から解錠下院位置まで回転させた状態を示す断面図である。
【図１４】プラグを回転させた状態を示す図で、（ａ）はスタート回転位置から施錠回転位置まで回転させた状態を示す断面図、（ｄ）は施錠回転位置で解錠キーを抜去した状態を示す断面図である。
【図１５】施錠回転位置におけるステアリングロック装置を示す図で、（ａ）は解錠キーを挿入した状態を示す断面図、（ｂ）は解錠キーを抜去した状態を示す断面図である。
【図１６】従来例を示す図で、（ａ）は回転突出部品の斜視図、（ｂ）は制御バーの爪との係止完了前の相対位置を示す図、（ｃ）は制御バーの爪との係止完了状態を示す図である。
【発明を実施するための形態】
【００４０】
図１に示すように、ステアリングロック装置は、フレーム２７内に収容されるシリンダ錠２８と、カム部材２と、カムフォロア体４と、ロックバー５とを有し、フレーム２７をステアリングカラム２９に固定して使用される。また、フレーム２７にはイグニッションスイッチ３０が連結されており、上記カム部材２に形成した傘歯車状のギア部２ａに噛合するギア３０ａを介してシリンダ錠２８への回転操作力が伝達される。
【００４１】
シリンダ錠２８は、シリンダケース２８ａ内にプラグ１を挿入して形成され、プラグ１は真正な解錠キー６を挿入した状態でシリンダケース２８ａ、すなわち、フレーム２７に対して回転操作することができる。プラグ１の先端には、プラグ１の径方向に移動自在で、解錠キー６を挿入した状態でプラグ１の外周から突出するキー検出ブロック３１が装着される。
【００４２】
図２（ａ）に示すように、プラグ１は、施錠回転位置に対応するロック位置、解錠回転位置に対応するオン位置、およびスタート回転位置との間で回転操作可能であり、ロックバー５は、プラグ１がロック位置にあるときには、図１に示すように、フレーム２７から突出し、ステアリングカラム２９内を挿通するステアリングシャフト（図示せず）に係止して該ステアリングシャフトへの回転操作を規制するロック位置に保持される。この状態からプラグ１をオン位置まで回転操作すると、ロックバー５は、図３に示すように、フレーム２７内に収容されてステアリングシャフトとの係止が解除されるアンロック位置に移動し、さらにこの状態からプラグ１をスタート位置まで回転させると、ロックバー５はアンロック位置に保持されたままイグニッションスイッチ３０は、オン位置からスタート位置に移動してスタータスイッチを作動させ、エンジン始動操作が行われる。
【００４３】
カムフォロア体４は、プラグ１の回転軸（Ｃ１）の軸長方向に長い部材で、プラグ１に軸長方向に沿って移動してプラグ１の回転操作を上記ロックバー５に伝達する。このカムフォロア体４は、図４に示すように、フォロア本体部１５の前端から係脱部１６を突設して形成される。フォロア本体部１５は、後端部にバー連結開口１５ａを有し、該バー連結開口１５ａに連結用係止部５ａを係止させることによりロックバー５が連結される。
【００４４】
カムフォロア体４の摺動方向、すなわち、プラグ１の回転中心（Ｃ１）の軸長方向に所定の角度で交差するロックバー５の摺動を許容するために、ロックバー５の連結用係止部５ａは一端が開放されたフック形状に形成される。また、ロックバー５には、圧縮スプリング３２によりロック位置方向への付勢力が付与されており、ロックバー５に連結されるカムフォロア体４も後方への付勢力が付与される。
【００４５】
また、フォロア本体部１５の前端部には、フォロア部１３が設けられ、該フォロア部１３にストッパピン８が保持される。フォロア部１３は、頂部を後方に向けた三角形状に形成され、ストッパピン８は、ピン用圧縮スプリング８ａにより突出方向に付勢される（図４（ｂ）参照）。
【００４６】
一方、カム部材２は円筒形状に形成されてプラグ１の後端に連結され、プラグ１とともに同一回転軸周りに回転する。上述したように、このカム部材２の外周ほぼ半周域には、イグニッションスイッチ３０のギア３０ａに噛合するギア部２ａが形成されており、残りの半周部を利用してカム面３が形成される。
【００４７】
図２に示すように、カム面３は、回転軸（Ｃ１）を中心とする円筒面状のピン対応面９に沿って配置されて前方に向けて開かれる段形状に形成される。
【００４８】
カム部材２と上記カムフォロア体４とは、図５に示すように、上記カムフォロア体４のストッパピン８がカム部材２の回転中心、すなわちプラグ１の回転中心（Ｃ１）に沿って移動するように配置され、カムフォロア体４のフォロア部１３は、カム面３の移動軌跡上に配置される。
【００４９】
図５に示すように、プラグ１が施錠回転位置にあるとき、カムフォロア体４のフォロア部１３はロック対応位置（ＰＬ）にあり、この状態からプラグ１を解錠回転位置（以後、「オン位置」）方向に回転操作すると、オン位置に至るまでにフォロア部１３がカム面３の傾斜部３ａに沿ってカム面３の平面部（３ｂ）まで引き上げられてアンロック対応位置（ＰＵ）に移動する。アンロック対応位置（ＰＵ）への移動に伴ってロック位置側に付勢されたカムフォロア体４、およびこれに連結されるロックバー５は付勢力に抗してアンロック位置まで駆動される。この後、プラグ１をスタート回転位置まで回転させると、フォロア部１３はカム面３の平面部３ｂ上を移動し、スタート対応位置（ＰＳ）まで移動する。
【００５０】
なお、フォロア部１３を、図５（ａ）において黒点で、図５（ｂ）において太線の直線で示す。
【００５１】
また、上記ストッパピン８の突出高さは、先端がカム部材２のピン対応面９に軽く接触する程度に設定されており、図５（ｂ）に示すように、フォロア部１３の移動途上において、ピン対応面９との相対位置を一定に保ちながら移動する。
【００５２】
なお、以上においてストッパピン８はピン対応面９に接触する程度の突出高さに設定する場合を示したが、ピン対応面９に圧接させたり、あるいは無接触状態に設定することも可能である。
【００５３】
さらに、上記カム部材２のピン対応面９にはストッパ突起１２が突設される。ストッパ突起１２は、図５に示すように、カム部材２が施錠回転位置にあるときのカムフォロア体４のストッパピン８の移動経路上に配置される。このストッパ突起１２は、図６に示すように、ピン対応面９から直立する垂直壁１０と、この垂直壁１０の頂部から前方に向けて漸次低背となる傾斜壁１１を備えて断面三角形状に形成される。
【００５４】
ストッパピン８は、プラグ１が施錠回転位置にあり、カムフォロア体４がロック位置にあるとき、図６（ａ）に示すように、ストッパ突起１２の垂直壁１０の後方に位置し、図６（ｂ）に示すように、前方への移動が規制される。この結果、ロックバー５を直接操作してアンロック位置側に移動させることが不可能になるために、不正解錠に対する耐性が向上する。
【００５５】
さらに、フレーム２７には係止体７が装着される。図１に示すように、係止体７は、前端に検出フック部７ａを、後端に上記カムフォロア体４の係脱部１６に係脱する係止フック部７ｂを備え、プラグ１の回転中心（Ｃ１）の軸長方向に沿って配置される。
【００５６】
この係止体７は、図外の付勢手段によって図１において時計回りに付勢されて中間部を支点として揺動自在であり、図１に示すように、検出フック部７ａがプラグ１内に没入した係止解除姿勢と、図３に示すように、検出フック部７ａがプラグ１から押し出された係止姿勢との間を移動する。
【００５７】
また、係止体７の揺動支点７ｃは図１において矢印（Ｄ７）方向に微小距離移動自在な可動支点として構成されており、図外の付勢手段により図１の位置に保持される。
【００５８】
したがって本例において、プラグ１が施錠回転位置にあり、解錠キー６が挿入されない状態では、図１に示すように、ロックバー５は圧縮スプリング３２の付勢力によりロック位置に保持されており、上述したように、この状態でロックバー５を直接操作してアンロック位置方向に移動させることは禁止される（図６（ｂ）参照）。
【００５９】
この状態から、プラグ１内に解錠キー６を挿入すると、係止体７は検出フック部７ａがプラグ１から押し出されて係止姿勢に移行する。この後、プラグ１をオン位置側に回転操作すると、上述したように、カムフォロア体４は、カム部材２により前方に駆動され、係脱部１６が係止体７の係止フック部７ｂに当接する。この状態からさらにプラグ１の回転操作を続けると、係止フック部７ｂは係脱部１６の前端に形成されるガイド斜面１６ａに押されて側方への力が負荷され、係止体７には、検出フック部７ａとプラグ１側壁との接触点を回転中心とするモーメントが発生する。
【００６０】
このモーメントにより、カムフォロア体４の揺動支点７ｃは付勢力に抗して一旦移動して係脱部１６を係止フック部７ｂに受容し、その後、揺動支点７ｃが原位置に復帰することにより、以後、係止体７とカムフォロア体４は連結状態を保持する（図３（ａ）参照）。
【００６１】
以上の係止体７とカムフォロア体４との連結は、プラグ１がオン位置に至る直前で行われ、その後、図３に示すオン位置、およびオン位置を超えたスタート回転位置においてカムフォロア体４、およびロックバー５はアンロック位置に保持される。
【００６２】
次いで、プラグ１をオン位置から施錠回転位置に復帰させると、図５（ｂ）に示すように、カムフォロア体４は、カム面３によるロック位置への復帰抗力を失うが、係止体７との係止が維持されるために、アンロック位置に保持される（図３（ｂ）参照）。
【００６３】
この後、解錠キー６を抜去すると、キー検出ブロック３１は係止体７の回転方向付勢力によりプラグ１内に没入し、係止体７は揺動中心７ｃ周りに図３（ｂ）において時計回りに回転し、カムフォロア体４との係止が解除される。
【００６４】
一方、図３（ｂ）に示すように、解錠キー６によりプラグ１をロック回転位置に回転させた状態で、上記ストッパピン８はカム部材２に突設されたストッパ突起１２の傾斜壁１１に対峙しており、傾斜壁１１を超えることができるために、この後、解錠キー６を抜去して係止体７との係止が解除され、圧縮スプリング３２の復元力によりロック位置側に付勢されたカムフォロア体４はロック位置に移動し、図１の状態に復帰する。
【００６５】
図７以下に本発明の他の実施の形態を示す。なお、以下の実施の形態の説明において、上述した実施の形態と実質的に同一の構成要素は、図中に同一符号を付して説明を省略する。
【００６６】
本例において、カムフォロア体４は、プレート状に形成されてプラグ１の回転中心に沿って前後方向に移動自在に配置され、カムフォロア体４とフレーム２７との間に介装される圧縮スプリング３２によりロック位置方向に付勢される。
【００６７】
カムフォロア体４の前端部はプラグ１側に折り曲げられて係脱部１６が形成され、係脱部１６が係脱する係止体７はプラグ１内に配置され、プラグ１への解錠キー６の挿入によりプラグ１外へ突出する。
【００６８】
また、本例におけるストッパピン８は、フレーム２７に設けられたガイド溝２７ａにガイドされてカムフォロア体４に連結され、側壁部がフォロア部１３として使用される。
【００６９】
図８、９に示すように、カム部材２は、円筒体の前面に凹設される第１、第２のフォロア移動経路（Ｒ１、Ｒ２）と、連結経路（ＲＣ）とを有して形成され、各移動経路に直交して円筒面からなるピン対応面９が形成される。連結経路（ＲＣ）には、前方に傾斜壁１１が、後方に垂直壁１０を有するストッパ突起１２が突設される。
【００７０】
上記第１のフォロア移動経路（Ｒ１）は、第１ロック対応位置（ＰＬ１）から、第１アンロック対応位置（ＰＵ１）を経てスタート対応位置（ＰＳ）に至る移動経路であり、図７に示すように、プラグ１がロック回転位置にあり、カムフォロア体４がロック位置にあるとき、カムフォロア体４のフォロア部１３、すなわちストッパピン８は図８、９の第１ロック対応位置（ＰＬ１）に保持される。
【００７１】
図８に示すように、第１ロック対応位置（ＰＬ１）から第１アンロック対応位置（ＰＵ１）までの移動経路は、カム部材２の回転に伴って漸次前方に移動する傾斜部３ａが配置され、プラグ１を施錠回転位置からオン位置に回転操作すると、ストッパピン８は先端を対応するピン対応面９に圧接させながら移動経路上を移動し、図１２に示す第１アンロック対応位置（ＰＵ１）に到達する。一方、ストッパピン８の長手方向への移動に伴ってロックバー５は図１１に示すように、アンロック位置に移動し、当該位置に保持される。
【００７２】
オン位置からさらにプラグ１をスタート回転位置まで回転させると、ストッパピン８は調整用斜面３ｃを経由してスタート対応位置（ＰＳ）に移動する。スタート対応位置（ＰＳ）は、上記第１アンロック対応位置（ＰＵ１）に比して調整用斜面３ｃの高さだけカム部材２の軸長方向前方位に位置しているため、カムフォロア体４、およびロックバー５はアンロック位置からさらに前方にやや移動してアンロック状態を保持する。
【００７３】
以上のようにして、プラグ１を施錠回転位置からスタート回転位置まで回転操作すると、ストッパピン８は、上述した第１ロック対応位置（ＰＬ１）から第１アンロック対応位置（ＰＵ１）を経由してスタート対応位置（ＰＳ）に至る第１のフォロア移動経路（Ｒ１）上を移動し、それに伴ってロックバー５はロック状態からアンロック状態に移行し、さらに、イグニッションスイッチ３０によるエンジン始動操作が行われる。
【００７４】
一方、第２のフォロア移動経路（Ｒ２）は、第１のフォロア移動経路（Ｒ１）に比してカム部材２の回転中心方向に偏倚して配置されており、導入開口３ｄを介して第１のフォロア移動経路（Ｒ１）の終端、すなわち、スタート対応位置（ＰＳ）に連結される。
【００７５】
上記導入開口３ｄは、第１のフォロア移動経路（Ｒ１）上をストッパピン８が移動する際にストッパピン８の先端が圧接するカム部材２のピン対応面９をスタート対応位置（ＰＳ）の手前において切断することにより形成され、第１のフォロア移動経路（Ｒ１）上を移動してきたストッパピン８は、ピン用圧縮スプリング８ａの押圧力に対するピン対応面９による支えを失うスタート対応位置（ＰＳ）において導入開口３ｄを通って第２のフォロア移動経路（Ｒ２）に移動する（図１３（ａ）参照）。
【００７６】
第２のフォロア移動経路（Ｒ２）は、上記導入開口３ｄから導入されるスタート対応位置（ＰＳ）から第２アンロック対応位置（ＰＵ２）を経て第２ロック対応位置（ＰＬ２）に至る経路であり、第２アンロック対応位置（ＰＵ２）には、ピン対応面９をさらに回転中心方向に後退させることにより段状の突部１４が突設される。
【００７７】
したがって、プラグ１をスタート回転位置からオン回転位置に復帰させると、ストッパピン８は第２のフォロア移動経路（Ｒ２）上を移動して該第２のフォロア移動経路（Ｒ２）上に設定された第２アンロック対応位置（ＰＵ２）に移動する。ストッパピン８が一旦第２アンロック対応位置（ＰＵ２）に達すると、図１３（ｂ）に示すように、突部１４に妨げられてスタート対応位置（ＰＳ）側への移動が規制され、結果、プラグ１のスタート位置側への回転操作が規制されて起動済みのエンジンへの再起動操作を防ぐことができる。
【００７８】
この後、プラグ１を施錠回転位置側に回転させると、図１５（ａ）に示すように、解錠キー６の挿入によりプラグ１から突出する位置に保持された連結体７がカム面３による拘束が解除される前にカムフォロア体４の係脱部１６に係止し、カムフォロア体４の後方、すなわちロック位置側への移動を規制する。
【００７９】
また、上記第２のフォロア移動経路（Ｒ２）の第２ロック対応位置（ＰＬ２）は、第１ロック対応位置（ＰＬ１）の前方に設定されており、第２のフォロア移動経路（Ｒ２）のカム面３は、第２ロック対応位置（ＰＬ２）の前方において切り欠かれて第１ロック対応位置（ＰＬ１）に連続する連結経路（ＲＣ）がカム部材２の回転中心の軸長方向に形成される。
【００８０】
したがって、プラグ１を施錠回転位置まで回転させると、ストッパピン８は第２のフォロア移動経路（Ｒ２）を通って上記連結経路（ＲＣ）の前端、すなわち、第２ロック対応位置（ＰＬ２）に到達し、上述したように、当該位置においてカムフォロア体４の移動が係止体７により規制されているために、ストッパピン８はカム面３により支持されないのにかかわらず、第２ロック対応位置（ＰＬ２）に保持される（図１４（ａ）参照）。
【００８１】
この後、解錠回転位置において解錠キー６をプラグ１から抜去すると、解錠キー６による支えを失った係止体７は前方の傾斜面７ｄに発生する没入方向の分力によりプラグ１内に没入し、結果、カムフォロア体４、およびロックバー５がロック位置に復帰する。カムフォロア体４のロック位置への後退に伴って、ストッパピン８は、カムフォロア体４とともに後方に移動して第１ロック対応位置（ＰＬ１）に移動し、図１５（ｂ）に示すように、初期状態に復帰する。
【００８２】
図１５（ａ）に示すように、プラグ１を施錠回転位置まで回転操作し、ストッパピン８が第２ロック対応位置（ＰＬ２）にあるとき、カム部材２のストッパ突起１２はストッパピン８の後方に傾斜壁１１を対峙させて位置しており、ストッパピン８の後方への移動が許容される。
【００８３】
これに対し、図１５（ｂ）に示すように、ストッパピン８が第１ロック対応位置（ＰＬ１）に移動すると、ストッパ突起１２は垂直壁１０をストッパピン８の前方に対峙させてストッパピン８の前方への移動を規制することから、ロックバー５の直接操作による不正解錠操作を防止することができる。
【００８４】
さらに、カム部材２には上記第２ロック対応位置（ＰＬ２）を始点とし、第１のフォロア移動経路（Ｒ１）に連結される第３のフォロア移動経路（Ｒ３）が設けられる。第１のフォロア移動経路（Ｒ１）から第３のフォロア移動経路（Ｒ３）への移動は、上述した第１のフォロア移動経路（Ｒ１）と第２のフォロア移動経路（Ｒ２）を繋ぐ導入開口３ｄと同様に、第１のフォロア移動経路（Ｒ１）のピン対応面９を第１アンロック対応位置（ＰＵ１）の手前で切断することにより形成され、ストッパピン８が第１ロック対応位置（ＰＬ１）から第１のフォロア移動経路（Ｒ１）を通過して第１アンロック対応位置（ＰＵ１）に至ると、ピン用圧縮スプリング８ａの付勢力によりストッパピン８は第３のフォロア移動経路（Ｒ３）のピン対応面９に当接するまで内方に移動して該第３のフォロア移動経路（Ｒ３）に移動する。
【００８５】
したがって、プラグ１を施錠回転位置からオン位置まで回転操作すると、ストッパピン８は、第１のフォロア移動経路（Ｒ１）上を第３のフォロア移動経路（Ｒ３）との連結部位まで移動し、この後、スタート回転位置まで回転操作すると、上述したように第２のフォロア移動経路（Ｒ２）に進入する。これに対し、第１のフォロア移動経路（Ｒ１）との連結部に達した後、プラグ１を施錠回転位置まで回転させると、ストッパピン８は第３のフォロア移動経路（Ｒ３）を通って第２ロック対応位置（ＰＬ２）に至り、この後、ストッパピン８は第３のフォロア移動経路（Ｒ３）を経由して第１のフォロア移動経路（Ｒ１）に移動してスタート対応位置（ＰＳ）まで移動できるために、再度、プラグ１をスタート回転位置まで回転操作してエンジン始動操作をすることができる。
【００８６】
さらに、一旦スタート回転位置まで回転操作した後であっても、オン位置まで復帰させると、ストッパピン８は第２のフォロア移動経路（Ｒ２）を経由して第２ロック対応位置（ＰＬ２）に移動し、この後、上述したと同様に第３のフォロア移動経路（Ｒ３）を経由して第１のフォロア移動経路（Ｒ１）に移動してスタート対応位置（ＰＳ）まで移動できるために、解錠キー６を抜去することなくプラグ１をスタート回転位置まで回転操作することができる。
【符号の説明】
【００８７】
１        プラグ
２        カム部材
３        カム面
４        カムフォロア体
５        ロックバー
６        解錠キー
７        係止体
８        ストッパピン
９        ピン対応面
１０      垂直壁
１１      傾斜壁
１２      ストッパ突起
１３      フォロア部
１４      突部
１５      フォロア本体部
１６      係脱部
ＰＬ１    第１ロック対応位置
ＰＬ２    第２ロック対応位置
ＰＵ１    第１アンロック対応位置
ＰＵ２    第２アンロック対応位置
ＰＳ      スタート対応位置
Ｒ１      第１のフォロア移動経路
Ｒ２      第２のフォロア移動経路
ＲＣ      連結経路
【図１】
0006586298.tif 000002
【図２】
0006586298.tif 000003
【図３】
0006586298.tif 000004
【図４】
0006586298.tif 000005
【図５】
0006586298.tif 000006
【図６】
0006586298.tif 000007
【図７】
0006586298.tif 000008
【図８】
0006586298.tif 000009
【図９】
0006586298.tif 000010
【図１０】
0006586298.tif 000011
【図１１】
0006586298.tif 000012
【図１２】
0006586298.tif 000013
【図１３】
0006586298.tif 000014
【図１４】
0006586298.tif 000015
【図１５】
0006586298.tif 000016
【図１６】
0006586298.tif 000017